(57)【要約】      （修正有）【解決手段】造影検査支援装置１２ｂに設けられたＣＰＵは、検査オーダに記載された検査名および造影剤名のセットを検出し、検出された検査名／造影剤名セットと合致する検査名／造影剤名セットを検査マスタデータベースＤＢ２に蓄積された１または２以上の検査名／造影剤名セットの中から探索する。探索結果が“探知”を示せば、ＣＰＵは、検査実施画面を表す画像データをモダリティ１４に転送する。これに対して探索結果が“非探知”を示せば、ＣＰＵは、警告ダイアログを造影検査支援装置１２ｂのビューワに表示する。警告ダイアログ上の“ＯＫ”ボタンがクリックされると、ＣＰＵは、検査実施画面を表す画像データをモダリティ１４に転送する。【効果】造影検査を実施する医療従事者が造影剤の使用を誤る懸念を軽減することができる。【選択図】図１
2017136155.tif 000002
【特許請求の範囲】
【請求項１】
検査オーダに記載された検査名および造影剤名のセットを検出する検出手段、
前記検出手段によって検出されたセットと合致するセットをデータベースに蓄積された１または２以上のセットの中から探索する探索手段、
前記探索手段の探索結果が探知を示すとき検査実施画面情報をモダリティに転送する第１転送手段、
前記探索手段の探索結果が非探知を示すとき警告を出力する警告出力手段、および
前記警告出力手段によって出力された警告に対する所定操作に応答して前記検査実施画面情報を前記モダリティに転送する第２転送手段を備える、造影検査支援装置。
【請求項２】
前記データベースは造影剤に添付された文書を参照して作成されたデータベースである、請求項１記載の造影剤検査支援装置。
【請求項３】
前記データベースは検査履歴に基づいて作成されたデータベースである、請求項１記載の造影剤検査支援装置。
【請求項４】
前記第１転送手段および前記第２転送手段の各々は前記モダリティとＭＷＭ連携を確立して転送処理を実行する、請求項１ないし３のいずれかに記載の造影剤検査支援装置。
【請求項５】
前記検出手段によって検出されたセットの対象である造影剤の情報を前記第１転送手段の処理に関連して表示する情報出力手段をさらに備える、請求項１ないし４のいずれかに記載の造影剤検査支援装置。
【請求項６】
前記情報出力手段は、前記造影剤を表す画像を表示する造影剤画像表示手段、および前記造影剤に添付された文書を表す画像を表示する文書画像表示手段を含む、請求項５記載の造影剤検査支援装置。
【請求項７】
造影検査支援装置のプロセッサによって実行される造影検査支援方法であって、
検査オーダに記載された検査名および造影剤名のセットを検出する検出ステップ、
前記検出ステップによって検出されたセットと合致するセットをデータベースに蓄積された１または２以上のセットの中から探索する探索ステップ、
前記探索ステップの探索結果が探知を示すとき検査実施画面情報をモダリティに転送する第１転送ステップ、
前記探索ステップの探索結果が非探知を示すとき警告を出力する警告出力ステップ、および
前記警告出力ステップによって出力された警告に対する所定操作に応答して前記検査実施画面情報を前記モダリティに転送する第２転送ステップを備える、造影検査支援方法。
【請求項８】
造影検査支援装置のプロセッサに、
検査オーダに記載された検査名および造影剤名のセットを検出する検出ステップ、
前記検出ステップによって検出されたセットと合致するセットをデータベースに蓄積された１または２以上のセットの中から探索する探索ステップ、
前記探索ステップの探索結果が探知を示すとき検査実施画面情報をモダリティに転送する第１転送ステップ、
前記探索ステップの探索結果が非探知を示すとき警告を出力する警告出力ステップ、および
前記警告出力ステップによって出力された警告に対する所定操作に応答して前記検査実施画面情報を前記モダリティに転送する第２転送ステップを実行させるための、造影検査支援プログラム。
【発明の詳細な説明】
【技術分野】
【０００１】
この発明は、造影検査支援装置、造影検査支援方法および造影検査支援プログラムに関し、特に、検査オーダに従って実行される患者の造影検査を支援する、造影検査支援装置、造影検査支援方法および造影検査支援プログラムに関する。
【背景技術】
【０００２】
造影検査は、造影剤を使用することで病変の存在や形状の把握を行い、診断する上で必要な検査である。ただし、造影剤には本来使用目的が定められており、使用目的外の目的に使用（誤使用）すると、患者が死に至る場合もある。
【０００３】
このような事故は、検査オーダを出した医師が全ての造影剤の適切な使用目的を把握しておらず、誤った造影剤が検査オーダに記載された場合に生じ得る。検査オーダ上の記載ミスに起因する事故は、造影剤を投与する前の時点で薬剤師が検査オーダをチェックすることで未然に防げる可能性がある。しかし、造影検査の際に薬剤師が検査オーダをチェックすることは、まずない。
【先行技術文献】
【特許文献】
【０００４】
【特許文献１】特開２０１３−１４８９４２号公報
【発明の概要】
【発明が解決しようとする課題】
【０００５】
大抵の病院では、モダリティを操作する放射線技師が、患者の造影剤使用歴にある副作用情報をチェックする。その結果、検査オーダ上の造影剤の使用が患者にとって問題ないと判断されれば、造影検査が行われる。
【０００６】
これに関連して、特許文献１では、検査対象の患者と同様の既往歴を持つ他の患者の副作用まで参照され、検査対象の患者が同様の既往歴を持っていれば、検査対象の患者も同様の副作用を発する可能性があると判断してアラートのマークが画面に表示される。しかし、特許文献１では、使用目的との関連でアラートが発せられることはない。
【０００７】
それゆえに、この発明の主たる目的は、造影検査を実施する医療従事者が造影剤の使用を誤る懸念を軽減することができる、造影検査支援装置、造影検査支援方法および造影検査支援プログラムを提供することである。
【課題を解決するための手段】
【０００８】
この発明に従う造影検査支援装置(10：実施例で相当する参照符号。以下同じ)は、検査オーダに記載された検査名および造影剤名のセットを検出する検出手段(S9)、検出手段によって検出されたセットと合致するセットをデータベース(DB1, DB3)に蓄積された１または２以上のセットの中から探索する探索手段(S11, S11’)、探索手段の探索結果が探知を示すとき検査実施画面情報をモダリティ(14)に転送する第１転送手段(S15, S25)、探索手段の探索結果が非探知を示すとき警告を出力する警告出力手段(S13, S17)、および警告出力手段によって出力された警告に対する所定操作に応答して検査実施画面情報をモダリティに転送する第２転送手段(S21, S25)を備える。
【０００９】
好ましくは、データベースは造影剤に添付された文書を参照して作成されたデータベースである。
【００１０】
好ましくは、データベースは検査履歴に基づいて作成されたデータベースである。
【００１１】
好ましくは、第１転送手段および第２転送手段の各々はモダリティとＭＷＭ連携を確立して転送処理を実行する。
【００１２】
好ましくは、検出手段によって検出されたセットの対象である造影剤の情報を第１転送手段の処理に関連して表示する情報出力手段(S35~S39, S45)がさらに備えられる。
【００１３】
さらに好ましくは、情報出力手段は、造影剤を表す画像を表示する造影剤画像表示手段(S35, S37)、および造影剤に添付された文書を表す画像を表示する文書画像表示手段(S45)を含む。
【００１４】
この発明に従う造影検査支援方法は、造影検査支援装置(12b)のプロセッサ(24)によって実行される造影検査支援方法であって、検査オーダに記載された検査名および造影剤名のセットを検出する検出ステップ(S9)、検出ステップによって検出されたセットと合致するセットをデータベース(DB1, DB3)に蓄積された１または２以上のセットの中から探索する探索ステップ(S11, S11’)、探索ステップの探索結果が探知を示すとき検査実施画面情報をモダリティ(14)に転送する第１転送ステップ(S15, S25)、探索ステップの探索結果が非探知を示すとき警告を出力する警告出力ステップ(S13, S17)、および警告出力ステップによって出力された警告に対する所定操作に応答して検査実施画面情報をモダリティに転送する第２転送ステップ(S21, S25)を備える。
【００１５】
この発明に従う造影検査支援プログラムは、造影検査支援装置(12b)のプロセッサ(24)に、検査オーダに記載された検査名および造影剤名のセットを検出する検出ステップ(S9)、検出ステップによって検出されたセットと合致するセットをデータベース(DB1, DB3)に蓄積された１または２以上のセットの中から探索する探索ステップ(S11, S11’)、探索ステップの探索結果が探知を示すとき検査実施画面情報をモダリティ(14)に転送する第１転送ステップ(S15, S25)、探索ステップの探索結果が非探知を示すとき警告を出力する警告出力ステップ(S13, S17)、および警告出力ステップによって出力された警告に対する所定操作に応答して検査実施画面情報をモダリティに転送する第２転送ステップ(S21, S25)を実行させるための、造影検査支援プログラムである。
【発明の効果】
【００１６】
検査オーダに記載された検査名および造影剤名のセットがデータベースに蓄積された１または２以上のセットのいずれとも合致しなければ、警告が出力される。検査実施画面情報は、警告に対する所定操作に応答してモダリティに転送される。これによって、造影検査を実施する医療従事者が造影剤の使用を誤る懸念を軽減することができる。
【００１７】
この発明の上述の目的，その他の目的，特徴および利点は、図面を参照して行う以下の実施例の詳細な説明から一層明らかとなろう。
【図面の簡単な説明】
【００１８】
【図１】この実施例の医療システムの構成を示すブロック図である。
【図２】医療システムを構成するＲＩＳ端末の一例を示すブロック図である。
【図３】医療システムを構成するＲＩＳサーバに設けられた検査マスタデータベースの一例を示す図解図である。
【図４】医療システムを構成するＲＩＳサーバに設けられたＲＩＳ検査データベースの一例を示す図解図である。
【図５】造影検査支援装置を構成するビューワに表示される検査一覧画面の一例を示す図解図である。
【図６】造影検査支援装置を構成するビューワに表示される検査実施画面の一例を示す図解図である。
【図７】検査一覧画面に多重表示される警告ダイアログの一例を示す図解図である。
【図８】造影検査支援装置を構成するＣＰＵの動作の一部を示すフロー図である。
【図９】造影検査支援装置を構成するＣＰＵの動作の他の一部を示すフロー図である。
【図１０】造影検査支援装置を構成するＣＰＵの動作のその他の一部を示すフロー図である。
【図１１】他の実施例のＲＩＳサーバに設けられた検査履歴データベースの一例を示す図解図である。
【図１２】他の実施例の造影検査支援装置を構成するＣＰＵの動作の一部を示すフロー図である。
【図１３】他の実施例において検査一覧画面に多重表示される警告ダイアログの一例を示す図解図である。
【図１４】その他の実施例の造影検査支援装置を構成するＣＰＵの動作の一部を示すフロー図である。
【図１５】造影検査支援装置を構成するビューワに表示される検査実施画面の他の一例を示す図解図である。
【図１６】その他の実施例において検査一覧画面に多重表示される確認ダイアログの一例を示す図解図である。
【図１７】その他の実施例において検査一覧画面に多重表示される添付文書画像の一例を示す図解図である。
【発明を実施するための形態】
【００１９】
［実施例１］
図１を参照して、この実施例の医療システムは、院内ＬＡＮ１８によって互いに接続された病院情報システム（以下、「ＨＩＳ」と言う。）１０，放射線科情報システム（以下、「ＲＩＳ」と言う。）１２，モダリティ１４および画像保存通信システム（以下、「ＰＡＣＳ」と言う。）１６によって構成される。
【００２０】
ここで、ＲＩＳ１２は、院内ＬＡＮ１８に接続されたＲＩＳサーバ１２ａと、ＲＩＳサーバ１２ａに接続されたＲＩＳ端末（造影検査支援装置）１２ｂとによって構成される。また、モダリティ１４は、院内ＬＡＮ１８に接続されたコンソール１４ａと、コンソール１４ａによって操作される放射線撮影装置１４ｂとによって構成される。
【００２１】
さらに、ＲＩＳ端末１２ｂは、図２に示すように構成される。図２によれば、バスＢＳ１には、通信Ｉ／Ｆ２２，ＣＰＵ２４，キーボード／マウス２６，ＨＤＤ２８，ビューワ３０およびＤＲＡＭ３２が接続される。
【００２２】
ＲＩＳ端末１２ｂは、造影検査の準備段階において、薬剤師によって操作される。薬剤師は、院内で使用する造影剤の添付文書から当該造影剤を使用できる検査名（使用目的）を読み取り、読み取った検査名および当該造影剤の名称をキーボード／マウス２６を通して入力する。入力された検査名および造影剤名のセットは、通信Ｉ／Ｆ２２を通してＲＩＳサーバ１２ａに与えられ、検査ＩＤおよび造影剤ＩＤとともに検査マスタデータベースＤＢ１（図３参照）に蓄積される。したがって、薬剤師が複数の造影剤について上述の操作を繰り返すことで、複数の検査名／造影剤名セットが検査マスタデータベースＤＢ１に登録される。
【００２３】
なお、検査ＩＤは検査名によって特定される検査に割り当てられた識別情報であり、造影剤ＩＤは造影剤名によって特定される造影剤に割り当てられた識別情報である。また、“検査マスタ”は、特定の検査に対する使用が許可された造影剤を示すマスタ情報を意味し、“検査造影剤許可マスタ”と呼んでもよい。
【００２４】
ＨＩＳ１０を構成するＨＩＳ端末（図示せず）は、主治医によって操作される。主治医がＨＩＳ端末を操作して検査オーダを作成すると、ＨＩＳ１０を構成するＨＩＳサーバ（図示せず）は、作成された検査オーダを院内ＬＡＮ１８を介してＲＩＳサーバ１２ａに通知する。検査オーダには、検査日，患者ＩＤ，患者名，検査ＩＤ，検査名，造影剤ＩＤおよび造影剤名が検査情報として記載され、検査情報は、図４に示すＲＩＳ検査データベースＤＢ２に蓄積される。
【００２５】
なお、ステータス情報は検査の未実施／実施済を識別する情報であり、検査日は検査の実施日であり、患者ＩＤは患者名によって特定される患者に割り当てられた識別情報である。検査ＩＤおよび造影剤ＩＤは、上述の通りである。
【００２６】
ＲＩＳ端末１２ｂは、造影検査段階において放射線技師によって操作される。このとき、ＣＰＵ２４は、図８〜図１０に示すフロー図に従う処理を実行する。なお、これらのフロー図に対応する制御プログラム（造影検査支援プログラム）は、ＨＤＤ２８に保存される。
【００２７】
図８を参照して、ステップＳ１では、通信Ｉ／Ｆ２２を通してＲＩＳサーバ１２ａにアクセスし、ステータス情報が“未実施”を示す検査情報をＲＩＳ検査データベースＤＢ２から取得する。取得された検査情報は、ＤＲＡＭ３２に保持される。ステップＳ３では、取得した検査情報に基づいて検査一覧画面をＤＲＡＭ３２に描画し、描画された検査一覧画面の表示をビューワ３０に命令する。検査情報が図４に示す要領でＲＩＳ検査データベースＤＢ２に蓄積されている場合、検査一覧画面は図５に示す要領でビューワ３０から出力される。
【００２８】
ステップＳ５では、キーボード／マウス２６によって検査オーダ選択操作（検査一覧画面上の所望の検査項目をクリックする操作）が行われたか否かを判別し、判別結果がＮＯからＹＥＳに更新されるとステップＳ７に進む。ステップＳ７では、選択された検査項目に対応する検査実施画面をＤＲＡＭ３２に描画し、描画された検査実施画面の表示をビューワ３０に命令する。図５に示す検査一覧画面の最上段の検査項目がクリックされた場合、検査実施画面は図６に示す要領でビューワ３０から出力される。
【００２９】
ステップＳ９では、クリックされた検査項目に対応する検査情報から検査名および造影剤名を抽出して、検査名／造影剤名セットを作成する。ステップＳ１１では、通信Ｉ／Ｆ２２を通してＲＩＳサーバ１２ａにアクセスし、ステップＳ９で作成された検査名／造影剤名セットと合致する検査名／造影剤名セットの探索をＲＩＳサーバ１２ａに依頼する。
【００３０】
図５に示す検査一覧画面の最上段の検査項目がクリックされた場合、ステップＳ９では“胸部ＣＴ”および“ウログラフィン”のセットが作成され、ステップＳ１１では“胸部ＣＴ”および“ウログラフィン”のセットの探索が依頼される。
【００３１】
依頼を受けたＲＩＳサーバ１２ａは、所望の検査名／造影剤名セットを検査マスタデータベースＤＢ１から探索し、探索結果をＲＩＳ端末１２ｂに返送する。返送された探索結果は、通信Ｉ／Ｆ２２によって受信され、ＣＰＵ２４に通知される。
【００３２】
ステップＳ１３では“非探知”を示す探索結果が返送されたか否かを判別し、ステップＳ１５では“探知”を示す探索結果が返送された否かを判別する。ステップＳ１３の判別結果およびステップＳ１５の判別結果のいずれもがＮＯであればステップＳ１３に戻り、ステップＳ１５の判別結果がＹＥＳであればステップＳ２５に進み、ステップＳ１３の判別結果がＹＥＳであればステップＳ１７に進む。
【００３３】
ステップＳ１７では、ステップＳ９で抽出された検査名および造影剤名が反映された警告ダイアログをＤＲＡＭ３２上で作成し、作成された警告ダイアログの多重表示をビューワ３０に命令する。図５に示す検査一覧画面の最上段の検査項目がクリックされた場合、探索結果は“非探知”を示し、警告ダイアログが検査実施画面に多重される。また、警告ダイアログは図７に示す体裁をなす。
【００３４】
図７によれば、“使用造影剤が検査造影剤許可マスタに設定されていません。検査に使用する造影剤が適切ではない可能性がありますので造影剤添付文書等の情報をご確認下さい。”の文言が警告ダイアログの中央やや上段に表示され、“検査名：［造ＣＴ］胸部”および“使用造影剤：ウログラフィン”の文言が警告ダイアログの中央やや下段に表示され、“ＯＫ”ボタンが警告ダイアログの中央下段に表示される。また、警告ダイアログの右上端には、「Ｘ」ボタンが表示される。
【００３５】
ステップＳ１９ではキーボード／マウス２６によって「Ｘ」ボタンがクリックされたか否かを判別し、ステップＳ２１ではキーボード／マウス２６によって「ＯＫ」ボタンがクリックされたか否かを判別する。
【００３６】
ステップＳ１９の判別結果およびステップＳ２１の判別結果のいずれもがＮＯであればステップＳ１９に戻り、ステップＳ１９の判別結果がＹＥＳであればステップＳ３に戻り、ステップＳ２１の判別結果がＹＥＳであればステップＳ２３で警告ダイアログの非表示をビューワ３０に命令してからステップＳ２５に進む。ビューワ３０の出力は、ステップＳ１９でＹＥＳと判断された場合に図５に示す表示状態に戻り、ステップＳ２１でＹＥＳと判断された場合に図６に示す表示状態に戻る。
【００３７】
ステップＳ２５では、モダリティ１４を構成するコンソール１４ａとのＭＷＭ連携をＲＩＳサーバ１２ａを介して確立する。図６に示す検査実施画面を表す画像データ（検査実施画面情報）は、ＲＩＳサーバ１２ａおよび院内ＬＡＮ１８を経てコンソール１４ａに転送される。この結果、ビューワ３０およびコンソール１４ａのモニタ（図示せず）の両方に検査実施画面が表示される。
【００３８】
放射線技師は、検査実施画面を参照して造影剤を選択し、選択した造影剤を放射線撮影装置１４ｂに載置された患者に投与する。放射線技師は続いて、コンソール１４ａを操作して造影検査（放射線撮影）を実行する。これによって得られた断層画像は放射線撮影装置１４ｂからコンソール１４ａに与えられ、ＤＩＣＯＭファイル化される。こうして作成されたＤＩＣＯＭファイルは、院内ＬＡＮ１８を経てＰＡＣＳ１６に保存される。
【００３９】
造影検査が完了すると、放射線技師はコンソール１４ａ上で終了操作を行う。コンソール１４ａは、検査終了通知をＲＩＳ端末１２ｂに向けて発行する。発行された検査終了通知は、院内ＬＡＮ１８およびＲＩＳサーバ１２ａを経てＲＩＳ端末１２ｂに与えられる。
【００４０】
ステップＳ２７では検査終了通知が与えられたか否かを繰り返し判別し、判別結果がＮＯからＹＥＳに更新されるとステップＳ２９に進む。ステップＳ２９では、今回の造影検査に対応する検査情報をＲＩＳ検査データベースＤＢ２から特定し、特定した検査情報を構成するステータス情報を“未実施”から“実施済”に更新する。
【００４１】
ステップＳ３１ではキーボード／マウス２６によって検査終了操作が行われたか否かを繰り返し判別し、判別結果がＮＯからＹＥＳに更新されるとステップＳ３３でコンソール１４ａとのＭＷＭ連携を解除してから処理を終了する。
【００４２】
以上の説明から分かるように、造影検査支援装置１２ｂに設けられたＣＰＵ２４は、検査オーダに記載された検査名および造影剤名のセットを検出し(S9)、検出された検査名／造影剤名セットと合致する検査名／造影剤名セットを検査マスタデータベースＤＢ１に蓄積された１または２以上の検査名／造影剤名セットの中から探索する(S11)。探索結果が“探知”を示せば、ＣＰＵ２４は、検査実施画面を表す画像データをモダリティ１４に転送する(S15, S25)。これに対して探索結果が“非探知”を示せば、ＣＰＵ２４は、警告ダイアログをビューワ３０に表示する(S13, S17)。警告ダイアログ上の“ＯＫ”ボタンがクリックされると、ＣＰＵ２４は、検査実施画面を表す画像データをモダリティ１４に転送する(S21, S25)。
【００４３】
このように、検査オーダから検出した検査名／造影剤名セットが検査マスタデータベースＤＢ１に蓄積された１または２以上の検査名／造影剤名セットのいずれとも合致しなければ、警告ダイアログが出力される。検査実施画面の画像データは、警告ダイアログに対する「ＯＫ」ボタンのクリック操作に応答してモダリティ１４に転送される。これによって、造影検査を実施する医療従事者が造影剤の使用を誤る懸念を軽減することができる。
［実施例２］
【００４４】
この実施例では、図３に示す検査マスタデータベースＤＢ１に代えて、図１１に示す検査履歴データベースＤＢ３がＲＩＳサーバ１２ａに設けられる。検査履歴データベースＤＢ３は、過去に適切に行われた造影検査の情報を蓄積するデータベースである。蓄積される情報は、検査マスタデータベースＤＢ１と同様、検査ＩＤ，検査名，造影剤ＩＤおよび造影剤名である。また、ＲＩＳ端末１２ｂを構成するＣＰＵ２４は、ステップＳ１１の処理に代えて図１２に示すステップＳ１１´の処理を実行する。
【００４５】
なお、この実施例の医療システムは、これらの相違点を除き、実施例１の医療システムと同じであるため、同様の構成に関する重複した説明は省略する。
【００４６】
図１２に示すステップＳ１１´では、通信Ｉ／Ｆ２２を通してＲＩＳサーバ１２ａにアクセスし、ステップＳ９で作成された検査名／造影剤名セットと合致する検査名／造影剤名セットの探索をＲＩＳサーバ１２ａに依頼する。
【００４７】
上述と同様、依頼を受けたＲＩＳサーバ１２ａは、所望の検査名／造影剤名セットを検査履歴データベースＤＢ３から探索し、探索結果をＲＩＳ端末１２ｂに返送する。返送された探索結果は、通信Ｉ／Ｆ２２によって受信され、ＣＰＵ２４に通知される。
【００４８】
なお、図９に示すステップＳ１７の処理によって表示される警告ダイアログは、この実施例では、図１３に示す体裁をなす。図１３によれば、“使用造影剤と検査の組合せが過去にはありません。検査に使用する造影剤が適切かを造影剤添付文書等でご確認下さい。”の文言が警告ダイアログの中央やや上段に表示される。
【００４９】
この実施例によれば、過去の造影検査の情報が検査履歴データベースＤＢ３に蓄積されるため、データベースの構築に必要な労力を低減することができる。
［実施例３］
【００５０】
この実施例では、院内で使用される造影剤の写真画像および添付文書画像がＲＩＳサーバ１２ａに追加的に保存される。写真画像には、造影剤名および内容量を示す文字情報が付随する。また、ＲＩＳ端末１２ｂを構成するＣＰＵ２４は、図９に示すステップＳ１５でＹＥＳと判断されたときに図１４に示す処理を追加的に実行する。
【００５１】
なお、この実施例の医療システムは、これらの相違点を除き、実施例１の医療システムと同じであるため、同様の構成に関する重複した説明は省略する。
【００５２】
図１４を参照して、ステップＳ３５では、通信Ｉ／Ｆ２２を通してＲＩＳサーバ１２ａにアクセスし、ステップＳ９で抽出された造影剤名に相当する造影剤の写真画像を取得する。ステップＳ３７では、取得した写真画像が表れた確認ダイアログをＤＲＡＭ３２上で作成し、作成された確認ダイアログの多重表示をビューワ３０に命令する。
【００５３】
図５に示す検査一覧画面の２段目の検査項目がクリックされた場合、図１５に示す検査実施画面がビューワ３０に表示され、かつ探索結果は“探知”を示す。確認ダイアログは、図１６に示す体裁をなして検査実施画面に多重される。図１６によれば、造影剤の写真画像が確認ダイアログの左側に表示され、造影剤名および内容量を示す文字が確認ダイアログの右側に表示され、「添付文書」ボタンが確認ダイアログの右下に表示される。「Ｘ」ボタンは、確認ダイアログの右上端に表示される。
【００５４】
ステップＳ３９ではキーボード／マウス２６によって「添付文書」ボタンがクリックされたか否かを判別し、ステップＳ４１ではキーボード／マウス２６によって「Ｘ」ボタンがクリックされたか否かを判別する。ステップＳ３９の判別結果およびステップＳ４１の判別結果のいずれもがＮＯであればステップＳ３９に戻り、ステップＳ３９の判別結果がＹＥＳであればステップＳ４５に進み、ステップＳ４１の判別結果がＹＥＳであればステップＳ４３に進む。
【００５５】
ステップＳ４３では、確認ダイアログの非表示をビューワ３０に命令する。この結果、確認ダイアログが消失し、検査実施画面のみがビューワ３０から出力される。ステップＳ４３の処理が完了すると、ステップＳ２５に進む。
【００５６】
ステップＳ４５では、ステップＳ９で抽出された造影剤名に相当する造影剤の添付文書画像をＲＩＳサーバ１２ａから取得し、取得した添付文書画像の代替表示をビューワ３０に命令する。この結果、確認ダイアログに代えて添付文書画像が検査実施画面に多重表示される。図１６に示す確認ダイアログ上で「添付文書」ボタンがクリックされた場合に表示される添付文書画像は、図１７に示す体裁をなす。
【００５７】
ステップＳ４７では、添付文書画像の右上端に表示された「Ｘ」ボタンがクリックされたか否かを繰り返し判別する。判別結果がＮＯからＹＥＳに更新されると、ステップＳ４９に進み、添付文書画像の非表示をビューワ３０に命令する。この結果、添付文書画像が消失し、検査実施画面のみがビューワ３０から出力される。ステップＳ４９の処理が完了すると、ステップＳ２５に進む。
【００５８】
この実施例によれば、ステップＳ９で作成された検査名／造影剤名セットと合致する検査名／造影剤名セットが検査マスタデータベースＤＢ１から探知されたときに、造影剤の写真画像が現れた確認ダイアログが検査実施画面に多重表示され、さらに「添付文書」ボタンのクリック操作に応答して添付文書画像が代替表示される。これによって、放射線技師が誤った造影剤を手に取って患者に投与する懸念を軽減することができる。
【００５９】
なお、言うまでもなく、上述した実施例１ないし実施例３は、互いに矛盾しない範囲で組み合わせることができる。
【符号の説明】
【００６０】
１０  …ＨＩＳ
１２  …ＲＩＳ
１２ａ  …ＲＩＳサーバ
１２ｂ  …ＲＩＳ端末
１４  …モダリティ
１４ａ  …コンソール
１４ｂ  …放射線撮影装置
１６  …ＰＡＣＳ
１８  …院内ＬＡＮ
【図１】
2017136155.tif 000003
【図２】
2017136155.tif 000004
【図３】
2017136155.tif 000005
【図４】
2017136155.tif 000006
【図５】
2017136155.tif 000007
【図６】
2017136155.tif 000008
【図７】
2017136155.tif 000009
【図８】
2017136155.tif 000010
【図９】
2017136155.tif 000011
【図１０】
2017136155.tif 000012
【図１１】
2017136155.tif 000013
【図１２】
2017136155.tif 000014
【図１３】
2017136155.tif 000015
【図１４】
2017136155.tif 000016
【図１５】
2017136155.tif 000017
【図１６】
2017136155.tif 000018
【図１７】
2017136155.tif 000019